(57)【要約】      （修正有）【課題】省スペース小型化に適し、年間を通じたトータルとしての省エネ効果に優れた照明装置一体型エアコンを提供する。【解決手段】筐体に熱交換器と該熱交換器によって熱交換された冷暖気を冷暖気吹き出し口に送風するファンが内蔵されている。筐体の底部中央には熱交換器の空気取込側と連通して開口部が形成され、この開口部と熱交換器の空気取込側との間の空気取込経路にはエアーフイルタが配置されている。照明装置はヒートシンクからなる基板に白色・暖白色のパワーＬＥＤが取り付けられた構成を有し、この基板に筐体の内部に空気を取り込むための吸気口が形成されている。照明装置は基板を介して前記開口部に脱着可能に取り付けられ、基板を通過しパワーＬＥＤ及びヒートシンクにより熱せられた空気が熱交換器の空気取込側に供給される。【選択図】図２
0003125067.tif 000002
【実用新案登録請求の範囲】
【請求項１】
筐体に照明装置を一体的に設けた室内用のエアコンであって、筐体に内蔵された熱交換器と、該熱交換器の空気取込側に形成された空気取込経路と連通して前記筐体の底部の略中央に形成された開口部と、前記空気取込経路に配置されたエアーフイルタと、基板にパワーＬＥＤとヒートシンクが設けられ該基板が前記開口部に取り付けられた照明装置と、前記空気取込経路と連通する吸気口と、前記開口部の外側に配置されて前記筐体の底部に形成された冷暖気吹き出し口と、熱交換された冷暖気を前記冷暖気吹き出し口に送風するファンとを備え、前記熱交換器に前記照明装置によって加熱されたエアーが供給されるようにしたことを特徴とする照明装置一体型エアコン。
【請求項２】
前記照明装置の基板を前記ヒートシンクにより構成したことを特徴とする請求項１に記載の照明装置一体型エアコン。
【請求項３】
前記照明装置を前記開口部に脱着可能に取り付けたことを特徴とする請求項１に記載の照明装置一体型エアコン。
【請求項４】
筐体に照明装置を一体的に設けた室内用のエアコンであって、筐体に内蔵された熱交換器と、該熱交換器の空気取込側に形成された空気取込経路と連通して前記筐体の底部の略中央に形成された開口部と、前記空気取込経路に配置されたエアーフイルタと、基板にパワーＬＥＤとヒートシンクが設けられ該基板が前記開口部に取り付けられるとともに前記筐体の内部に空気を取り込むための吸気口を有する照明装置と、前記開口部の外側に配置されて前記筐体の底部に形成された冷暖気吹き出し口と、熱交換された冷暖気を前記冷暖気吹き出し口に送風するファンとを備え、前記熱交換器に前記照明装置の吸気口を経由したエアーが供給されるようにしたことを特徴とする照明装置一体型エアコン。
【請求項５】
前記照明装置の基板を前記ヒートシンクにより構成したことを特徴とする請求項４に記載の照明装置一体型エアコン。
【請求項６】
前記照明装置を前記開口部に脱着可能に取り付けたことを特徴とする請求項４に記載の照明装置一体型エアコン。
【考案の詳細な説明】
【技術分野】
【０００１】
本考案は、パワーＬＥＤ（発光ダイオード）を用いた照明装置を一体的に形成した照明装置一体型エアコンに関する。
【背景技術】
【０００２】
蛍光灯などの照明器具をエアコンに一体的に形成した照明器具一体型のエアコンが従来知られている（例えば特許文献１，２参照）。
【特許文献１】特開平１１−２７３４４７号公報
【特許文献２】実開平７−１８３１７号公報
【考案の開示】
【考案が解決しようとする課題】
【０００３】
従来の照明装置一体型エアコンは、蛍光灯を用いたものが一般的であり、しかも冷暖気吹き出し口の外周側に照明器具を配置した構成となっている。そのため全体として大型化してしまい、省スペース小型化に適さないという問題点がある。
本考案の第１の目的は、省スペース小型化に適した照明装置一体型エアコンを提供することである。
【０００４】
またエアコンは、夏場の冷暖房費と比べて冬場の暖房費の方が電気代が余計にかかる。そして室内の照明装置の熱は無駄に消費されているのが現状である。
このような事情に鑑み、本考案の他の目的は照明装置の発熱を利用して、熱交換器の取り込む空気を暖め、冬場の暖房時における熱交換効率を向上させ、以て省エネに適した照明装置一体型エアコンを提供することである。夏場の冷房時には、熱交換器の取り込む空気が暖められると多少熱交換効率は落ちるが年間を通した冷暖房の費用を考慮した場合、トータルとして冷暖房費用の節約が可能となる照明装置一体型エアコンを提供できるようにすることを目的とするものである。
【課題を解決するための手段】
【０００５】
上記目的を達成するため本考案は、筐体に照明装置を一体的に設けた室内用のエアコンであって、筐体に内蔵された熱交換器と、該熱交換器の空気取込側に形成された空気取込経路と連通して前記筐体の底部の略中央に形成された開口部と、前記空気取込経路に配置されたエアーフイルタと、基板にパワーＬＥＤとヒートシンクが設けられ該基板が前記開口部に取り付けられた照明装置と、前記空気取込経路と連通する吸気口と、前記開口部の外側に配置されて前記筐体の底部に形成された冷暖気吹き出し口と、熱交換された冷暖気を前記冷暖気吹き出し口に送風するファンとを備え、前記熱交換器に前記照明装置によって加熱されたエアーが供給されるようにしたものである。
また本考案は、筐体に照明装置を一体的に設けた室内用のエアコンであって、筐体に内蔵された熱交換器と、該熱交換器の空気取込側に形成された空気取込経路と連通して前記筐体の底部の略中央に形成された開口部と、前記空気取込経路に配置されたエアーフイルタと、基板にパワーＬＥＤとヒートシンクが設けられ該基板が前記開口部に取り付けられるとともに前記筐体の内部に空気を取り込むための吸気口を有する照明装置と、前記開口部の外側に配置されて前記筐体の底部に形成された冷暖気吹き出し口と、熱交換された冷暖気を前記冷暖気吹き出し口に送風するファンとを備え、前記熱交換器に前記照明装置の吸気口を経由したエアーが供給されるようにしたものである。
また本考案は、前記照明装置の基板を前記ヒートシンクにより構成したものである。
また本考案は、前記照明装置を前記開口部に脱着可能に取り付けたことを特徴とするものである。
【考案の効果】
【０００６】
本考案の照明装置一体型エアコンは、照明装置にパワーＬＥＤを用い、照明装置をエアコン筐体の底部の略中央に配置し、その外側に冷暖気吹き出し口を設けた構成としたので全体をコンパクトに構成できる。また照明装置のパワーＬＥＤやシートシンクの熱で暖めた空気を熱交換器に供給するようにしたので、冬場の暖房時の熱交換効率を高めることができ、年間を通した冷暖房費のコストを低減させることができ省エネの効果が得られる。
【考案を実施するための最良の形態】
【０００７】
以下に本考案の実施の形態を添付した図面を参照して詳細に説明する。
図２は本考案の一実施形態の天井埋込タイプのパワーＬＥＤ照明装置付きエアコンの構造を示す断面図であって、筐体２に熱交換器４が内蔵されている。筐体２は本実施形態では建物の室内やエレベータ内の天井に埋め込まれている。
【０００８】
尚、筐体２は天井埋込タイプに特に限定されるものではなく、天井から吊り下げた吊り下げタイプとしても良い。筐体２の外枠部には、冷暖気吹き出し口６が形成され、筐体２内の熱交換器４の冷暖気排出側経路と連通している。前記熱交換器４は、アルミ製フィンを備え、前記筐体２の内部の略中央に配置されている。
【０００９】
前記熱交換器４の下方のエアー取込側には、エアーフイルタ８が脱着可能に取り付けられている。また、前記熱交換器４の下方には、開口部１０を有する底板部２ａと側壁部２ｂとで囲まれた空気取込経路１１が形成され、該底板部２ａの下面に、開口部１０を塞ぐように照明装置１２のヒートシンク１６からなる基板がビス１４によって脱着可能に取り付けられている。前記照明装置１２は、前記筐体２の底部の中央に配置されている。
【００１０】
前記照明装置１２は、アルミニウム材からなる板状のヒートシンク１６と、該ヒートシンク１６に取り付けられた複数個の白色・暖白色（電球色）のパワーＬＥＤ（発光ダイオード）１８とから構成されている。前記底板部２ａとヒートシンク１６には吸気口２０が形成され、筐体２の底部の下面中央部に外気吸入部を形成している。筐体２の内部には、モータ２２により駆動されるファン２４が配置されている。前記照明装置１２は基板に光透過性の光拡散板などからなる照明カバーを設け、該カバーによってパワーＬＥＤ１８を覆うようにしても良い。
【００１１】
上記した構成において、エアコンの電源スイッチがオンとなると、熱交換器４が駆動し、照明装置１２のパワーＬＥＤ１８が点灯するとともに、ファン２４が回転する。尚、照明装置１２はエアコンの電源のオンオフとは独立して電源をオンオフできるようにしても良い。パワーＬＥＤ１８から出る熱はヒートシンク１６に熱伝導し、ヒートシンク１６が加熱される。このパワーＬＥＤ１８とヒートシンク１６から出る熱は空気取込経路１１内の空気を暖め、この暖められた空気は筐体２内の空気の対流によりエアーフイルタ８を経て熱交換器４の空気取込側に移動する。
【００１２】
冬場の暖房時には、熱交換器４の熱交換効率は暖められた空気の吸入によって向上し、エアコンの電気消費量は、冷たい空気が吸入される場合に比し、節減される。夏場の冷房時には、熱交換器４に暖められた空気が入るので多少熱交換効率は落ちるが、冷房の電気消費量は暖房の電気消費量よりも少ないので、その影響は小さい。熱交換器４により熱交換された空気は、冷暖気吹き出し口６より室内に送風される。
【図面の簡単な説明】
【００１３】
【図１】本考案にかかる照明装置一体型エアコンの底面図である。
【図２】照明装置一体型エアコンの説明的断面図である。
【符号の説明】
【００１４】
２    筐体
４    熱交換器
６    冷暖気吹き出し口
８    エアーフイルタ
１０  開口部
１１  空気取込経路
１２  照明装置
１４  ビス
１６  ヒートシンク
１８  パワーＬＥＤ
２０  吸気口
２２  モータ
２４  ファン
【図１】
0003125067.tif 000003
【図２】
0003125067.tif 000004